(57)【要約】【課題】ディスクアットワンスで書き込み前に音楽データを事前試聴可能な音楽用装置を提供すること。【解決手段】ＣＰＵ１１０は、ＣＤ−Ｒへの書き込み対象とする複数の音楽データに関する情報を入力可能な入力画面１５３を表示し、各種操作ボタンの操作によって入力画面１５３上に入力された情報を受け付けて、ＣＤ−Ｒへの書き込み動作前に複数の音楽データをプレ再生するための情報を登録する（プレ再生用テーブル）。そして、この登録情報を参照して、書き込み動作が行われる前に、書き込み対象とした複数の音楽データを再生可能とするので、ディスクアットワンスで書き込み前に音楽データを事前試聴可能とすることができるようになる。【選択図】  図５
2004191829.tif 000002
【特許請求の範囲】
【請求項１】
一度だけ書き込み可能で追加書き込み不能なディスクアットワンス方式で音楽データを記録媒体に書き込む書き込み手段を備えた音楽用装置において、
前記書き込み手段による書き込み対象とする複数の音楽データに関する情報を入力可能な画面を表示する入力画面表示手段と、
操作部の操作によって前記画面上に入力された情報を受け付けて、前記書き込み手段による書き込み動作前に前記複数の音楽データをプレ再生するための情報を登録する登録手段と、
この登録手段の登録情報を参照して、前記書き込み手段による書き込み動作が行われる前に、前記書き込み対象とした複数の音楽データを再生可能とするプレ再生手段と、を備えたことを特徴とする音楽用装置
【請求項２】
請求項１に記載の音楽用装置において、
前記複数の音楽データに関する情報には、音楽データの再生順序、音楽データに対するプレギャップ時間、音楽データに対するポストギャップ時間と、が含まれることを特徴とする音楽用装置。
【請求項３】
請求項２に記載の音楽用装置において、
前記登録手段は、
再生順番１番の音楽データの再生開始時刻を予め設定した初期再生開始時刻（第１再生開始時刻）として登録し、
この再生順番１番の音楽データに対して予め設定されている実演奏時間と、入力された再生順番１番のポストギャップ時間と２番のプレギャップ時間とを前記初期再生開始時刻に加えた時刻を再生順番２番の音楽データの再生開始時刻（第２再生開始時刻）として登録し、
この再生順番２番の音楽データに対して予め設定されている実演奏時間と、入力された再生順番２番のポストギャップ時間と３番のプレギャップ時間とを前記第２再生開始時刻に加えた時刻を再生順番３番の音楽データの再生開始時刻（第３再生開始時刻）として登録していく処理を、最後の再生順番（ｎ番：ｎは４以上の整数）の音楽データに対する再生開始時刻を登録するまで行う再生開始時刻登録手段と、
各再生順番の音楽データに対してその再生アドレス範囲を登録するアドレス登録手段と、を含み、
前記プレ再生手段は、
前記書き込み手段による書き込み動作が行われる前に、前記各再生開始時刻の到来に応じて対応する再生アドレス範囲の音楽データを再生することを特徴とする音楽用装置。
【発明の詳細な説明】
【０００１】
【発明の属する技術分野】
本発明は、一度だけ書き込み可能で追加書き込み不能なディスクアットワンス方式で音楽データを記録媒体に書き込む書き込み手段を備えた音楽用装置に関する。
【０００２】
【従来の技術】
従来、ＰＣ（パーソナルコンピュータ）で個人用の音楽アルバムを作成し、これをＣＤに書き込む際には、先ず、音楽ＣＤからＣＤに書き込む曲データをＰＣに取り込む。次いで、曲を聴きたい順に並べ換え操作を行い、音楽用プレイヤーで聴けるように設定操作を行い、最後にＣＤ−Ｒに音楽データを書き込むという手順を踏んでいた。このＣＤ−Ｒへの書き込みは、一度だけ書き込み可能で追加書き込み不能な、いわゆるディスクアットワンス方式で行われる。また、従来技術として、ビデオデッキより再生された再生データを所定区間に分け、この分けた所定区間を選択するためのボタンを画面上に設け、所要の所定区間のみを取り出すように編集し、編集後のデータをＤＶＤに書きこむ再生データ装置が提案されていた（例えば、特許文献１参照。）。
【０００３】
【特許文献１】
特開２００２−７４９０６号公報（第８−１１頁、第５図）
【０００４】
【発明が解決しようとする課題】
しかしながら、これら従来の装置にあっては、追記不能な方式でデータを記録媒体に書き込んだ後に書き込み対象となったデータを確認できるだけであり、書き込み前に音楽データを再生することはできなかった。そのため、所望の状態で書き込みを行うことができない場合には記録媒体を廃棄することが余儀なくされていた。
【０００５】
そこで、本発明は、このような従来の課題を解決するためになされたものであり、ディスクアットワンスで書き込み前に音楽データを事前試聴可能な音楽用装置を提供することを目的とする。
【０００６】
【課題を解決するための手段】
上記目的を達成するために、本発明は、一度だけ書き込み可能で追加書き込み不能なディスクアットワンス方式で音楽データを記録媒体に書き込む書き込み手段を備えた音楽用装置において、
前記書き込み手段による書き込み対象とする複数の音楽データに関する情報を入力可能な画面を表示する入力画面表示手段と、
操作部の操作によって前記画面上に入力された情報を受け付けて、前記書き込み手段による書き込み動作前に前記複数の音楽データをプレ再生するための情報を登録する登録手段と、
この登録手段の登録情報を参照して、前記書き込み手段による書き込み動作が行われる前に、前記書き込み対象とした複数の音楽データを再生可能とするプレ再生手段と、を備えたことを特徴とするようにした。
【０００７】
入力画面表示手段は、書き込み手段による書き込み対象とする複数の音楽データに関する情報を入力可能な画面を表示し、登録手段は、操作部の操作によって前記画面上に入力された情報を受け付けて、前記書き込み手段による書き込み動作前に前記複数の音楽データをプレ再生するための情報を登録する。そして、プレ再生手段は、この登録手段の登録情報を参照して、前記書き込み手段による書き込み動作が行われる前に、前記書き込み対象とした複数の音楽データを再生可能とするので、ディスクアットワンスで書き込み前に音楽データを事前試聴可能とすることができるようになる。
【０００８】
また、前記複数の音楽データに関する情報には、音楽データの再生順序、音楽データに対するプレギャップ時間、音楽データに対するポストギャップ時間と、が含まれるようにすることができる。そして、この音楽用装置において、前記記登録手段は、再生順番１番の音楽データの再生開始時刻を予め設定した初期再生開始時刻（第１再生開始時刻）として登録し、
この再生順番１番の音楽データに対して予め設定されている実演奏時間と、入力された再生順番１番のポストギャップ時間と２番のプレギャップ時間とを前記初期再生開始時刻に加えた時刻を再生順番２番の音楽データの再生開始時刻（第２再生開始時刻）として登録し、
この再生順番２番の音楽データに対して予め設定されている実演奏時間と、入力された再生順番２番のポストギャップ時間と３番のプレギャップ時間とを前記第２再生開始時刻に加えた時刻を再生順番３番の音楽データの再生開始時刻（第３再生開始時刻）として登録していく処理を、最後の再生順番（ｎ番：ｎは４以上の整数）の音楽データに対する再生開始時刻を登録するまで行う再生開始時刻登録手段と、
各再生順番の音楽データに対してその再生アドレス範囲を登録するアドレス登録手段と、を含み、
前記プレ再生手段は、
前記書き込み手段による書き込み動作が行われる前に、前記各再生開始時刻の到来に応じて対応する再生アドレス範囲の音楽データを再生する構成とすることができる。
【０００９】
【発明の実施の形態】
以下、本発明の実施の形態を図面を参照しつつ説明する。以下においては、音楽用装置の一例とし音楽データをファイルとして管理し音楽データを複数トラック同時再生可能なマルチトラックレコーダ１を例に挙げて説明する。
【００１０】
（構成）
図１は本発明の実施の形態であるマルチトラックレコーダ１の構成図である。図１に示すように、マルチトラックレコーダ１００は、ＣＰＵ１１０、ＲＯＭ１１１、ＲＡＭ１１２、ＵＳＢコントローラ１２０、ＨＤ１３０、操作部１４０、液晶ディスプレイ１５０、入力端子１６１に接続される楽音信号入力部１６０、出力端子１７１に接続される楽音信号出力部１７０、ＣＤ−Ｒライタ１８０、データ入出力端子１９１に接続されたＰＣ  Ｉ／Ｆ（インターフェイス）１９０を備えて構成される。ＣＰＵ１１０が、ＲＯＭ１１１に記録される制御用ソフトやＨＤ１２０に記録される全体制御プログラム等を実行することによって以下の動作が実現されるように構成されている。
【００１１】
また、ＣＰＵ１１０は操作部１４０の操作による指示を受け付けて所要の動作を行い、必要な情報を液晶ディスプレイ１５０に表示するように構成されている。また、液晶ディスプレイ１５０には情報の表示部と情報の入力部としてのタッチパネル部（図２の表示ボタン群１５２に対応）とが形成されていて、タッチパネル部のタッチ操作によって所要の情報を入力可能に構成されている。また、詳細には図示しないが操作部１４０はミキシングやイコライズイング調整等の多数のスライダースイッチ、指示選択操作を行うための押下式ボタンやダイアル等の種々の操作用部品で構成されている。さらに、ＰＣ  Ｉ／Ｆ１９０はＣＰＵ１１０の管理下のもとで、データ入出力端子１９１を介して装置外のパーソナルコンピュータ等と必要な情報（主にデータファイル等）を通信する。
【００１２】
操作部１４０の楽音信号記録指示操作に応答して、ＣＰＵ１１０は入力端子１６１を介して入力される楽音信号を楽音信号入力部１６０に入力させる。楽音信号入力部１６０は入力された楽音信号をアナログデジタル変換して、これがデジタル楽音データとしてＣＰＵ１１０に渡される。ＣＰＵ１１０はこれを一旦ＲＡＭ１１２に記憶させておき、次いでこれをファイルにしてＨＤ１３０の管理領域に格納し、更にユーザー領域にアクセス（読み出しや書き込み）可能に格納する。一方、操作部１４０の楽音信号再生指示操作に応答して、ＣＰＵ１１０がユーザー領域に格納された複数のファイルの音楽データを楽音信号出力部１７０に渡すと、楽音信号出力部１７０は複数の楽音データを同時再生しながらデジタルアナログ変換し出力端子１７１に出力する。かくして、マルチトラックレコーダ１００では複数トラックの楽音データのそれぞれをファイル管理しておき、複数トラックを同時再生した楽音信号を得られるようになっている。
【００１３】
また、ＣＤ−Ｒライタ１８０は、挿入されたＣＤ−Ｒに対して、一度だけ書き込み可能で追加書き込み不能なディスクアットワンス方式で音楽データを書き込むように構成されている。なお、この書き込み指示は例えば、前述したタッチパネル部を操作することによって行われるようになっている。
【００１４】
図３はＨＤ１３０の所定エリアに格納された管理用テーブル３００の説明図である。この管理用テーブル３００は、ファイル名（ファイル識別子）とそのファイルが格納されているアドレス範囲とそのファイルの実演奏時間とを対応付けて記憶管理する。ＣＰＵ１１０は新たにファイルが生成されると、操作部１４０から入力するファイル名を登録すると共に、このファイルの実演奏時間と格納アドレス範囲とを対応付けてこの管理用テーブル３００に記憶する。図３の一例では、ファイル名「ＦＡ」なるファイルの実演奏時間は「３分３０秒」でアドレス範囲「ＡＤ１〜ＡＤ２」に格納されていることを示している。かくして、このマルチトラックレコーダ１にて生成された各ファイルは管理用テーブル３００を用いてＣＰＵ１１０によって管理されている。
【００１５】
図５（ａ）はＨＤ１３０に格納されるプレイテーブル５００の説明図である。このプレイテーブル５００は、トラック（曲順番）とファイル名とプレギャップとポストギャップと実演奏時間とが対応付けて記憶されている。ここで、プレギャップとは音楽データの前に設ける無音（空白データ）部であり、ポストギャップとは音楽データの後に設ける無音（空白データ）部である。この両ギャップは後に説明するようにしてタッチパネル部を操作して設定することが可能であり、この設定値がそれぞれプレイテーブル５００の「プレギャップ」、「ポストギャップ」の欄に格納される。また、音楽データ再生順番であるトラックもタッチパネル部を操作することによって設定可能であり、トラック設定順にトラック１、トラック２、トラック３、…に、選択されたファイル名が格納される。
【００１６】
そして、ＣＰＵ１１０は、格納されたファイル名に対応する実演奏時間を管理用テーブル３００から索出し、索出した実演奏時間をプレイテーブル５００の「実演奏時間」の欄に格納する。かくして、トラック、プレギャップ、ポストギャップを選択したり設定したりすることによってプレイテーブル５００が構築されることになる。
【００１７】
図５（ｂ）はＨＤ１３０に格納されるプレ再生用テーブル５１０の説明図である。このプレ再生用テーブル５１０は再生開始時刻と再生時間とファイルアドレスとを対応付けて記憶する。今、図５（ａ）に示すようにプレイテーブル５００が構築されている場合に、このプレ再生用テーブル５１０の構築され方について説明する。先ず、再生順番が「１」番のファイル「ＦＡ」の再生開始時刻を初期再生開始時刻「０分００秒」とする。この再生時間はプレイテーブル５００が示すように「３分３０秒」であるので、これをプレ再生用テーブル５１０に格納する。そして、管理用テーブル３００からファイル名ＦＡに対するアドレス範囲「ＡＤ１〜ＡＤ２」を索出して、プレ再生用テーブル５１０の対応する位置に格納する。かくして、プレ再生用テーブル５１０の一行目の各欄の情報が構築される。
【００１８】
次に、再生順番が「２」番のファイル「ＦＢ」の再生開始時刻を求めるが、この時、ＣＰＵ１１０は、再生順番が「１」番に対するポストギャップ（この例では「０分０４秒」）と再生順番が「２」番に対するプレギャップ（この例では「０分００秒」）とをプレイテーブル５００から索出して求め、初期再生開始時刻に対して、再生順番が１番目の音楽データの再生時間と求めたポストギャップとプレギャップとを加えて求めた時刻「３分３４秒」を再生順番２番目の再生開始時刻としてプレ再生用テーブル５１０に格納する。この再生時間はプレイテーブル５００が示すように「２分００秒」であるので、これをプレ再生用テーブル５１０に格納する。そして、管理用テーブル３００からファイル名ＦＢに対するアドレス範囲「ＡＤ３〜ＡＤ４」を索出して、プレ再生用テーブル５１０の対応する位置に格納する。かくして、プレ再生用テーブル５１０の２行目の各欄の情報が構築される。
【００１９】
次に、再生順番が「３」番のファイル「ＦＣ」の再生開始時刻を求めるが、この時、ＣＰＵ１１０は、再生順番が「２」番に対するポストギャップ（この例では「０分０１秒」）と再生順番が「３」番に対するプレギャップ（この例では「０分０２秒」）とをプレイテーブル５００から索出して求め、再生順番が２番目の音楽データの再生開始時刻に対して、再生順番が２番目の音楽データの再生時間と求めたポストギャップとプレギャップとを加えて求めた時刻「５分３７秒」を再生順番３番目の再生開始時刻としてプレ再生用テーブル５１０に格納する。この再生時間はプレイテーブル５００が示すように「４分００秒」であるので、これをプレ再生用テーブル５１０に格納する。そして、管理用テーブル３００からファイル名ＦＣに対するアドレス範囲「ＡＤ５〜ＡＤ６」を索出して、プレ再生用テーブル５１０の対応する位置に格納する。かくして、プレ再生用テーブル５１０の３行目の各欄の情報が構築される。
【００２０】
このようにして、再生順位が最終番目の音楽データに対して、プレ再生用テーブルが構築されるまで上記のような動作を繰り返す。そして、ＣＰＵ１１０は、プレ再生時には、プレ再生用テーブル５１０に示された再生開始時刻の経過に従って音楽データを再生する。図５（ｂ）の例では、時刻「０分００秒」にアドレス範囲「ＡＤ１〜ＡＤ２」のファイルＦＡを再生し、次いで、時刻「３分３４秒」にアドレス範囲「ＡＤ３〜ＡＤ４」のファイルＦＢを再生し、そして、時刻「５分３７秒」にアドレス範囲「ＡＤ５〜ＡＤ６」のファイルＦＣを再生する。したがって、図６に示すように再生順番通りにファイルアドレスがマッピングされている必要な無い。換言すれば、ファイルを格納する際にはそのアドレスマッピング順番を考慮しなくても良いことになる。
【００２１】
さて、図２は液晶ディスプレイ１５０の表示画面１５１の表示例の説明図である。タッチパネル方式の各種のボタンを備えた表示ボタン群１５２が画面下方に形成されると共に、その上方にはディスクアトワンス方式でＣＤ−Ｒに書き込み対象となる音楽データに関する情報を入力可能な入力画面１５３が形成されている。曲順ボタン２０４を押下操作するとその度にトラック（曲順）表示エリアに数字が「１」、「２」、「３」、…と増加するように表示される。その表示された曲順に対して、選択可能なファイル名の内のいずれかを選択操作すると、ＣＰＵ１１０はファイル名欄にその選択したファイル名を表示し、これに対する実演奏時間を管理用テーブル３００から索出して求め、対応する実演奏時間の表示欄に表示する。図２に示す例では、トラック１、トラック２、トラック３に対してファイル名ＦＡ、ＦＢ、ＦＣを選択した、換言すれば、再生順番をファイルＦＡ、ＦＢ、ＦＣとして入力した場合を示している。なお、これに対応して実演奏時間の表示欄には「３分３０秒」、「２分００秒」、「４分００秒」なる実演奏時間が表示される。
【００２２】
また、各再生順番の音楽データに対して、プレギャップボタン２０８を操作して入力画面１５３上でプレギャップを設定することが可能であり、また、ポストギャップボタン２１０を操作して入力画面１５３上でポストギャップを設定することが可能になっている。図２の一例の再生順番「１」番のプレギャップは「Ｐｒｅ１」、ポストギャップは「Ｐｏ１」となるように設定されている。
【００２３】
そして、この入力画面１５３で入力された、トラック（曲順）、ファイル名、プレギャップ、ポストギャップの情報はプレイテーブル５００に格納される。ＣＰＵ１１０は、管理用テーブル３００から当該ファイル名のファイルに対する実演奏時間を索出し、これをプレイテーブル５００の対応する位置に格納することでプレイテーブル５００が構築される。そして、先にも説明したように、このプレイテーブル５００の格納内容と管理用テーブル３００のアドレス範囲に基いて、プレ再生用テーブル５１０を構築する。かくして、ＣＰＵ１１０は、ＣＤ−Ｒへの書き込み対象とする複数の音楽データに関する情報を入力可能な入力画面１５３を表示し、各種の操作ボタンの操作によって入力画面１５３上に入力された情報を受け付けて、ＣＤ−Ｒへの書き込み動作前に複数の音楽データをプレ再生するための情報を登録する。
【００２４】
（動作概要）
次に、図４のフローチャートを参照してＣＰＵ１１０が行う動作概要を説明する。先ず、ステップＳ４００においてＣＤアルバム作成用プレイリストである入力画面１５３を表示する。ステップＳ４０５、ステップＳ４１０において、曲順やプレギャプ・ポストギャップを入力すると、これらを受けつけてプレイテーブル５００に登録する。ステップＳ４１５において、書き込む曲がまだある場合（Ｙｅｓ）にはステップＳ４０５、Ｓ４１０の処理を繰り返す一方、書き込む曲がない場合（Ｎｏ）にはステップＳ４２０において、図３に示す再生ボタン２００を押下操作して先に説明したプレ再生を行う。即ち、先に説明したようにしてプレイテーブル５００を構築した後にプレ再生用テーブル５１０を構築して、このプレ再生用テーブル５１０の構築内容にしたがって、ＣＤ−Ｒに書き込む前に音楽データの再生を行う。
【００２５】
ステップＳ４２５において曲順、曲間（ギャップ）が正しい場合（Ｙｅｓ）にはステップＳ４４５に移行する一方、正しくない場合（Ｎｏ）にはプレイテーブル５００を編集して曲順、曲間を所望のものとする（ステップＳ４３０）。また、ステップＳ４４５において各曲のレベルが正しい場合（Ｙｅｓ）にはステップＳ４５０に移行する一方、正しくない場合（Ｎｏ）にはステップＳ４３５において、レベル調整ボタン２０２（図２参照）を操作してレベルを調整する（ステップＳ４３５）。さらに、ステップＳ４５０において音色が正しい場合（Ｙｅｓ）にはステップＳ４５５に移行する一方、正しくない場合（Ｎｏ）にはステップＳ４４０において、エフェクトボタン２０３（図２参照）を操作してエフェクトをかけて音色を調整する（ステップＳ４４０）。
【００２６】
そして、ステップＳ４５５においては、図３に示す書き込みボタン２０１を押下操作して、設定された曲順とギャップで音楽データのＣＤ−Ｒへの書き込み動作をＣＤ−Ｒライタ１８０に行わせる。
【００２７】
したがって、この実施形態によれば、ＣＰＵ１１０は、ＣＤ−Ｒへの書き込み対象とする複数の音楽データに関する情報を入力可能な入力画面１５３を表示し、各種操作ボタンの操作によって入力画面１５３上に入力された情報を受け付けて、ＣＤ−Ｒへの書き込み動作前に複数の音楽データをプレ再生するための情報を登録する。そして、この登録情報を参照して、書き込み動作が行われる前に、書き込み対象とした複数の音楽データを再生可能とするので、ディスクアットワンスで書き込み前に音楽データを事前試聴可能とすることができるようになる。
【００２８】
そして、上述の情報登録は、再生順番「１番」の音楽データの再生開始時刻を予め設定した初期再生開始時刻（例えば「０分００秒」）として登録し、この再生順番１番の音楽データに対して予め設定されている実演奏時間と、入力された再生順番「１番」のポストギャップ時間と「２番」のプレギャップ時間とを初期再生開始時刻に加えた時刻を再生順番「２番」の音楽データの再生開始時刻（第２再生開始時刻）として登録し、この再生順番「２番」の音楽データに対して予め設定されている実演奏時間と、入力された再生順番「２番」のポストギャップ時間と「３番」のプレギャップ時間とを第２再生開始時刻に加えた時刻を再生順番「３番」の音楽データの再生開始時刻（第３再生開始時刻）として登録していく処理を、最後の再生順番（ｎ番：ｎは４以上の整数）の音楽データに対する再生開始時刻を登録するまで行い、また、各再生順番の音楽データに対してその再生アドレス範囲を登録しておく。そして、ＣＰＵ１１０は、書き込み動作が行われる前に、各再生開始時刻の到来に応じて対応する再生アドレス範囲の音楽データを再生するので、音楽データの格納アドレス等を気にしなくても、再生開始時刻にしたがったスケジュールで音楽データの再生が行える。
【００２９】
（他の実施形態）
この他の実施形態では、図８に示すような一連の音楽データであるストリームデータ８００を例えば２つのマーク位置Ｍ１、Ｍ２で分割して、自動的に３つのファイルＭＡ１、ＭＡ２、ＭＡ３としてＣＤ−Ｒへの書き込み対象ファイルとする点に特徴がある。
【００３０】
先ず、ストリームデータ８００が再生中であるものとする。先ず、図７のステップＳ７００において、ＣＰＵ１１０は図３のマーカボタン２１１が押下操作されたか否かを判定し、操作されないと判定した場合（Ｎｏ）にはステップＳ７００においてウエイト状態となる。一方、マーカボタン２１１が押下操作されたと判定した場合（Ｙｅｓ）には、ステップＳ７１０においてこのマーカボタン２１１で指示された位置をマーカ位置とするためマークリストに必要な情報を登録してステップＳ７００に戻る。例えば、最初のマーカ位置が図８のＭ１に示す場合には、ファイル名ＭＡ１と実演奏時間ＰＡとこれを格納するアドレス範囲「ＡＤ７〜ＡＤ８」を図９に示すように対応付けて登録する。
【００３１】
同様に、次のマーカ位置が図８のＭ２に示す場合には、ファイル名ＭＡ２と実演奏時間ＰＢとこれを格納するアドレス範囲「ＡＤ９〜ＡＤ１０」を図９に示すように対応付けて登録する。なお、Ｍ２が最後のマーカ位置である場合には残りの音楽データをファイル名ＭＡ３として、ファイル名ＭＡ３と実演奏時間ＰＣとこれを格納するアドレス範囲「ＡＤ１１〜ＡＤ１２」を図９に示すように対応付けて登録する。なお、ＣＰＵ１１０は、再生開始時点からマーカ位置、マーカ位置間、最後のマーカ位置から再生終了までの実演奏時間を把握可能に構成されている。
【００３２】
そして、ＣＰＵ１１０は、構築されたマークリスト９００の内容を管理用テーブル３００にコピーすることによって、マーク操作によって生成されたファイルもＣＤ−Ｒへの書き込み対象とすることが可能となる。なお、マーカ位置を設定する時に「ここでマーカ位置は良いですか」等のメッセージを表示し、これに対してＯＫ操作した場合にのみマークリスト登録を行うようにしても良い。
【００３３】
以上本発明の実施の形態について説明したが、本発明の要旨を逸脱しない範囲内で上記実施形態に種々の変形や変更を施すことが可能となる。例えば、上述した説明ではファイルＦＡ、ＦＢ、ＦＣの３個の音楽データのみを書き込み対象としたが、４種類以上一般にはｎ（ｎは２以上の整数）個の音楽データを書き込み対象とすることができることは言うまでもない。また、各ファイルのアドレスは必ずしも連続している必要はない。
【００３４】
【発明の効果】
以上説明してきたように、本発明によれば、ディスクアットワンスで書き込み前に音楽データを事前試聴可能な音楽用装置を提供することができるという効果が得られる。
【図面の簡単な説明】
【図１】本発明の実施形態であるマルチトラックレコーダ１の構成図である。
【図２】表示画面１５１の表示例の説明図である。
【図３】管理用テーブル３００の説明図である。
【図４】本発明の実施形態の動作を説明するためのフローチャートである。
【図５】プレイテーブル５００、プレ再生テーブル５１０の説明図である。
【図６】動作の説明図である。
【図７】他の実施形態の動作を説明するためのフローチャートである。
【図８】ストリームデータ８００に対するマーク処理の説明図である。
【図９】マークリスト９００の説明図である。
【符号の説明】
１００  マルチトラックレコーダ
１１０  ＣＰＵ
１１１  ＲＯＭ
１１２  ＲＡＭ
１２０  ＵＳＢコントローラ
１３０  ＨＤ
１４０  操作部
１５０  液晶ディスプレイ
１６０  楽音信号入力部
１６１  入力端子
１７０  楽音信号出力部
１７１  出力端子
１８０  ＣＲ−Ｒライタ
１９０  ＰＣ  Ｉ／Ｆ（インターフェイス）
１９１  データ入出力端子
【図１】
2004191829.tif 000003
【図２】
2004191829.tif 000004
【図３】
2004191829.tif 000005
【図４】
2004191829.tif 000006
【図５】
2004191829.tif 000007
【図６】
2004191829.tif 000008
【図７】
2004191829.tif 000009
【図８】
2004191829.tif 000010
【図９】
2004191829.tif 000011